(57)【要約】  回路動作をテストするためのシステムと方法が提供される。態様には、電源、スイッチング素子及び負荷を含む回路を含む。感知素子はスイッチング素子と負荷の間に配置され、感知素子はマイクロコントローラに通信可能に結合され、マイクロコントローラは、感知素子から、スイッチング素子を作動することに応答した負荷と関連した第１のセンサデータであって、負荷と関連した電気的値を含む、第１のセンサデータを取得することと、感知素子から、スイッチング素子の出力と関連した第２のセンサデータであって、スイッチング素子の出力と関連した電気的値を含む第２のセンサデータを取得することと、第１のセンサデータ及び第２のセンサデータを分析して回路の障害状態を判定することとを含む診断動作を、回路に対して実行するように構成される。
2022500719.tif 000002
【特許請求の範囲】
【請求項１】
回路動作をテストするシステムであって、
電源、スイッチング素子及び負荷を含む回路と、
前記スイッチング素子と前記負荷の間に配置された感知素子であって、マイクロコントローラと通信可能に結合された前記感知素子とを含み、前記マイクロコントローラは、
前記感知素子から、前記スイッチング素子を作動させることに応答して、前記負荷と関連した第１のセンサデータであって、前記負荷と関連した電気的値を含む前記第１のセンサデータを、取得することと、
前記感知素子から、前記スイッチング素子の出力と関連した第２のセンサデータであって、前記スイッチング素子の出力と関連した電気的値を含む前記第２のセンサデータを、取得することと、
前記第１のセンサデータ及び前記第２のセンサデータを分析して前記回路の障害状態を判定することと
を含む前記回路の診断動作を実行するように構成されている、
前記システム。
【請求項２】
前記第１のセンサデータを分析することが、
前記負荷と関連した前記電気的値を前記負荷の動作範囲の値と比較すること
を含む、請求項１に記載のシステム。
【請求項３】
前記第２のセンサデータを分析することが、
前記スイッチング素子の前記出力と関連した前記電気的値を前記スイッチング素子の前記出力の動作範囲の値と比較すること
を含む、請求項２に記載のシステム。
【請求項４】
前記回路の前記診断動作がさらに、
前記負荷と関連した前記電気的値が前記負荷の前記動作範囲外の値であるという判定と、
前記スイッチング素子の前記出力と関連した前記電気的値が前記スイッチング素子の前記出力の前記動作範囲内の値であるという判定と
に基づいて前記障害状態を前記負荷と関連させること
を含む、請求項３に記載のシステム。
【請求項５】
前記感知素子が第１の感知素子であり、前記システムがさらに、
前記電源と前記スイッチング素子の間に配置される第２の感知素子であって、前記マイクロコントローラに通信可能に結合された前記第２の感知要素を含み、前記回路の前記診断動作がさらに、
前記第２の感知素子から、前記電源と関連した第３のセンサデータであって、前記電源と関連した電気的値を含む前記第３のセンサデータを、取得することと、
前記電源と関連した前記電気的値を前記電源の動作範囲の値と比較することとを含む、
請求項３に記載のシステム。
【請求項６】
前記回路の前記診断動作がさらに、
前記スイッチング素子の前記出力と関連した前記電気的値が前記スイッチング素子の前記出力の前記動作範囲外の値であるという判定と、
前記電源と関連した前記電気的値が前記電源の前記動作範囲内の値であるという判定とに基づいて前記障害状態を前記スイッチング素子と関連させること
を含む、請求項５に記載のシステム。
【請求項７】
前記回路の前記診断動作がさらに、
前記電源と関連した前記電気的値が前記電源の前記動作範囲外の値であるという判定に基づいて前記障害状態を前記電源と関連させること
を含む、請求項５に記載のシステム。
【請求項８】
前記回路の前記診断動作がさらに、
前記障害状態に基づいてアラートを生成することと、
ディスプレイデバイスに前記アラートを表示することと
を含む、請求項１に記載のシステム。
【請求項９】
前記感知素子が電圧感知回路を含む、請求項１に記載のシステム。
【請求項１０】
前記感知素子が電流感知回路を含む、請求項１に記載のシステム。
【請求項１１】
前記感知素子が前記スイッチング素子の前記出力に結合された帰還抵抗器を含む、請求項１に記載のシステム。
【請求項１２】
前記マイクロコントローラに通信可能に結合されたアナログデジタル変換器をさらに含む、請求項１に記載のシステム。
【請求項１３】
前記回路がトレーラ冷蔵ユニットのための制御システムである、請求項１に記載のシステム。
【請求項１４】
回路動作をテストする方法であって、
プロセッサによって回路の感知素子から、前記回路上の負荷と関連した第１のセンサデータを取得することであって、前記回路は電源及びスイッチング素子を含み、
前記第１のセンサデータは前記スイッチング素子の動作に応答して取得され、
前記第１のセンサデータは前記負荷と関連した電気的値を含む、
前記取得することと、
前記感知素子から、前記スイッチング素子の出力と関連した第２のセンサデータであって、前記スイッチング素子の前記出力と関連した電気的値を含む前記第２のセンサデータを、取得することと、
前記第１のセンサデータ及び前記第２のセンサデータを分析して前記回路の障害状態を判定することと
を含む前記方法。
【請求項１５】
前記第１のセンサデータを分析することが、前記負荷と関連した前記電気的値を前記負荷の動作範囲の値と比較することを含み、
前記第２のセンサデータを分析することが、前記スイッチング素子の前記出力に関連した前記電気的値を前記スイッチング素子の前記出力の動作範囲の値と比較することを含む、
請求項１４に記載の方法。
【請求項１６】
前記負荷と関連した前記電気的値が前記負荷の前記動作範囲外の値であるという判定と、
前記スイッチング素子の前記出力と関連した前記電気的値が前記スイッチング素子の前記出力の前記動作範囲内の値であるという判定とに基づいて前記障害状態を前記負荷と関連させること
をさらに含む、請求項１５に記載の方法。
【請求項１７】
前記回路の第２の感知素子から、前記電源と関連した第３のセンサデータであって、前記電源と関連した電気的値を含む第３のセンサデータを、取得することと、
前記電源と関連した前記電気的値を前記電源の動作範囲の値と比較することと
をさらに含む、請求項１５に記載の方法。
【請求項１８】
前記スイッチング素子の前記出力と関連した前記電気的値が前記スイッチング素子の前記出力の前記動作範囲外の値であるという判定と、
前記電源と関連した前記電気的値が前記電源の前記動作範囲内の値であるという判定とに基づいて前記障害状態を前記スイッチング素子と関連させること
をさらに含む、請求項１７に記載の方法。
【請求項１９】
前記電源と関連した前記電気的値が前記電源の前記動作範囲外の値であるという判定に基づいて前記障害状態を前記電源と関連させること
をさらに含む、請求項１７に記載の方法。
【請求項２０】
前記障害状態に基づいてアラートを生成することと、
ディスプレイデバイスに前記アラートを表示することと
をさらに含む、請求項１４に記載の方法。
【発明の詳細な説明】
【技術分野】
【０００１】
例示的な実施形態は、回路診断の技術、より具体的には、コンテナコントローラ内部回路の自己検証に関する。
【背景技術】
【０００２】
輸送用冷蔵ユニット（ＴＲＵ）は、特定の温度または温度範囲内で生鮮食品の貨物の輸送を行うように設計されたコンテナである。ＴＲＵは、キャビン内で特定の温度を維持するための様々な冷蔵システムを装備することができる。通常、制御システムは冷蔵システムを動作して、キャビン内の温度を維持する。これらの制御システムは、時間の経過とともに誤動作する可能性のある回路素子で構成されている。さらに、制御システムのコンポーネント間の接続が低下したり、切断されたりする可能性がある。例えば、制御システムに負荷がかかると、制御システムのピンとの機械的な接続が失われる可能性がある。誤動作が発生したときに制御システムを単に交換するのではなく、誤動作の原因を特定するために、制御システムの回路内の様々な場所のテストプロセスが必要である。
【発明の概要】
【課題を解決するための手段】
【０００３】
一実施形態によれば、システムが提供される。このシステムは、電源、スイッチング素子、及び負荷を含む回路を含む。感知素子はスイッチング素子と負荷の間に配置され、感知素子はマイクロコントローラに通信可能に結合され、マイクロコントローラは、感知素子から、スイッチング素子を作動することに応答した負荷と関連した第１のセンサデータであって、負荷と関連した電気的値を含む、第１のセンサデータを取得することと、感知素子から、スイッチング素子の出力と関連した第２のセンサデータであって、スイッチング素子の出力と関連した電気的値を含む第２のセンサデータを取得することと、第１のセンサデータ及び第２のセンサデータを分析して回路の障害状態を判定することとを含む診断動作を、回路に対して実行するように構成される。
【０００４】
上記の特徴の１つ以上に加えて、または、代替として、システムのさらなる実施形態は、第１のセンサデータを分析することが、負荷に関連した電気的値を負荷の動作範囲の値と比較することを含む、ということを含み得る。
【０００５】
上記の特徴の１つ以上に加えて、または、代替として、システムのさらなる実施形態は、第２のセンサデータを分析することが、スイッチング素子の出力に関連した電気的値をスイッチング素子の出力の動作範囲の値と比較することを含む、ということを含み得る。
【０００６】
上記の特徴の１つ以上に加えて、または、代替として、システムのさらなる実施形態は、回路の診断動作が、負荷と関連した電気的値が負荷の動作範囲外の値であるという判定、及び、スイッチング素子の出力と関連した電気的値がスイッチング素子の出力の動作範囲内の値であるという判定に基づいて、障害状態を負荷と関連させることをさらに含む、ということを含み得る。
【０００７】
上記の特徴の１つ以上に加えて、または、代替として、システムのさらなる実施形態は、感知素子は第１の感知素子であり、システムは電源とスイッチング素子の間に配置される第２の感知素子をさらに含み、第２の感知素子はマイクロコントローラと通信可能に結合され、回路の診断動作は、第２の感知素子から、電源と関連した第３のセンサデータであって、電源と関連した電気的値を含む第３のセンサデータを取得することと、電源に関連した電気的値を電源の動作範囲の値と比較することとをさらに含む、ということを含み得る。
【０００８】
上記の特徴の１つ以上に加えて、または、代替として、システムのさらなる実施形態は、回路の診断動作が、スイッチング素子の出力と関連した電気的値がスイッチング素子の出力の動作範囲外の値であるという判定、及び、電源と関連した電気的値が電源の出力の動作範囲内の値であるという判定に基づいて、障害状態をスイッチング素子と関連させることをさらに含む、ということを含み得る。
【０００９】
上記の特徴の１つ以上に加えて、または、代替として、システムのさらなる実施形態は、回路の診断動作が、電源と関連した電気的値が電源の動作範囲外の値であるという判定に基づいて、障害状態を電源と関連させることをさらに含む、ということを含み得る。
【００１０】
上記の特徴の１つ以上に加えて、または、代替として、システムのさらなる実施形態は、回路の診断動作が、障害状態に基づいてアラートを生成することと、ディスプレイデバイスにアラートを表示することとをさらに含む、ということを含み得る。
【００１１】
上記の特徴の１つ以上に加えて、または、代替として、システムのさらなる実施形態は、感知素子が電圧感知回路を含む、ということを含み得る。
【００１２】
上記の特徴の１つ以上に加えて、または、代替として、システムのさらなる実施形態は、感知素子が電流感知回路を含む、ということを含み得る。
【００１３】
上記の特徴の１つ以上に加えて、または、代替として、システムのさらなる実施形態は、感知素子がスイッチング素子の出力に結合された帰還抵抗器を含む、ということを含み得る。
【００１４】
上記の特徴の１つ以上に加えて、または、代替として、システムのさらなる実施形態は、マイクロコントローラに通信可能に結合されたアナログデジタル変換器を含み得る。
【００１５】
上記の特徴の１つ以上に加えて、または、代替として、システムのさらなる実施形態は、回路がトレーラ冷蔵ユニットのための制御システムであるということを含み得る。
【００１６】
一実施形態によれば、方法が提供される。この方法は、回路の感知素子からプロセッサによって、回路上の負荷と関連した第１のセンサデータを取得することであって、回路は電源及びスイッチング素子を含み、第１のセンサデータはスイッチング素子の動作に応答して取得され、第１のセンサデータは負荷と関連した電気的値を含む、取得することと、感知素子から、スイッチング素子の出力と関連した第２のセンサデータであって、スイッチング素子の出力と関連した電気的値を含む第２のセンサデータを取得することと、第１のセンサデータ及び第２のセンサデータを分析して回路の障害状態を判定することとを含む。
【００１７】
上記の特徴の１つ以上に加えて、または、代替として、方法のさらなる実施形態は、第１のセンサデータを分析することが、負荷に関連した電気的値を負荷の動作範囲の値と比較することを含み、第２のセンサデータを分析することが、スイッチング素子の出力に関連した電気的値をスイッチング素子の出力の動作範囲の値と比較することを含む、ということを含み得る。
【００１８】
上記の特徴の１つ以上に加えて、または、代替として、方法のさらなる実施形態は、負荷と関連した電気的値が負荷の動作範囲外の値であるという判定、及び、スイッチング素子の出力と関連した電気的値がスイッチング素子の出力の動作範囲内の値であるという判定に基づいて、障害状態を負荷と関連させることを含み得る。
【００１９】
上記の特徴の１つ以上に加えて、または、代替として、方法のさらなる実施形態は、回路の第２の感知素子から、電源と関連した第３のセンサデータであって、電源と関連した電気的値を含む第３のセンサデータを取得することと、電源と関連した電気的値を電源の動作範囲の値と比較することとを含み得る。
【００２０】
上記の特徴の１つ以上に加えて、または、代替として、方法のさらなる実施形態は、スイッチング素子の出力と関連した電気的値がスイッチング素子の出力の動作範囲外の値であるという判定、及び、電源と関連した電気的値が電源の出力の動作範囲内の値であるという判定に基づいて、障害状態をスイッチング素子と関連させることを含み得る。
【００２１】
上記の特徴の１つ以上に加えて、または、代替として、方法のさらなる実施形態は、電源と関連した電気的値が電源の動作範囲外の値であるという判定に基づいて、障害状態を電源と関連させることを含み得る。
【００２２】
上記の特徴の１つ以上に加えて、または、代替として、方法のさらなる実施形態は、障害状態に基づいてアラートを生成することと、ディスプレイデバイスにアラートを表示することとを含み得る。
【００２３】
以下の説明は、いかなる形であれ制限的なものであるとみなされるべきではない。添付の図面に関し、同様の要素には同様の番号が付けられている。
【図面の簡単な説明】
【００２４】
【図１】例示的な実施形態における輸送用冷蔵ユニットを示す図である。
【図２】冷蔵ユニットの実施形態の概略図である。
【図３】１つ以上の実施形態による、内部回路を利用する自己検証を備えた制御システムのブロック図である。
【図４】１つ以上の実施形態による、回路動作をテストするための方法の流れ図である。
【発明を実施するための形態】
【００２５】
より具体的に本開示の態様に関連する技術の概要にここで目を向けると、輸送用冷蔵ユニット（ＴＲＵ）は、特定の温度または温度範囲内で生鮮食品の貨物の輸送を行うように設計されたコンテナである。海上、鉄道または道路を経て貨物を輸送するために利用される物などの冷蔵貨物トラックまたは冷蔵トラクタトレーラは、トラック、トレーラまたは貨物コンテナであり、通常、貨物室を定め、トラック、トレーラまたは貨物コンテナの一方の端に配置された冷蔵システムを含むように変更されている。冷蔵システムは、通常、周知の冷媒蒸気圧縮サイクルに従って閉冷媒回路の冷媒ラインによって直列に接続されたコンプレッサ、コンデンサ、膨張弁及び蒸発器を含む。燃焼機関などの動力装置は、冷蔵ユニットのコンプレッサを駆動し、ディーゼル動力、天然ガス動力または他のタイプのエンジンでもよい。ＴＲＵは、キャビン内で特定の温度を維持するための様々な冷蔵システムを装備することができる。通常、オンボードコントローラ回路が冷蔵システムの動作を管理する。時間の経過とともに、オンボードコントローラ回路にはメンテナンス及び／またはテストが必要になる。コントローラの出力の機能的動作を点検するために、出力状態は、出力を起動させて、種々のテストポイントで電圧または電流計テストによって負荷状態及び出力動作をモニタする訓練されたサービス担当者によって、手動でモニタされる。これらのサービステストポイントによって、サービス技術者がコントローラ回路のシステム故障をトラブルシュートすることができる。通常、コントローラには複数の出力があるため、この手動テストは複雑になる可能性がある。例えば、現在の冷蔵コントローラには２９個の出力がある。これらのコントローラ回路のコストとスペースの制約を満たすために、これらのサービステストポイントを削除することができる。
【００２６】
ここで本開示の態様の概要に目を向けると、本開示の１つ以上の実施形態は、コントローラが内部電流及び電圧感知入力を利用して自己検証を実行できるようにするためのシステム及び方法を提供することによって、上記の問題に対処する。コントローラは、コントローラ出力をモニタする３つの内界センサを利用して自己検証を実行することができる。コントローラ出力は、例えば、２４ＶのＡ／Ｃ負荷及び１２ＶのＤ／Ｃ負荷などのコントローラ上の負荷の混合を含むことができる。電源入力からの内部電圧フィードバック及びモニタされている各出力は、出力状態変化のため出力で期待される電圧変化と比較することができる。測定された電流の内部電流センサの読み取り値は、ＤＣ１２Ｖ及びＡＣ２４Ｖ負荷の期待される電流と比較することができる。出力電圧と電流をモニタすることにより、コントローラで実行される正しい出力動作の自己診断をできる。
【００２７】
上記のように、コントローラ（または制御システム）はＴＲＵで利用される。図１は、冷蔵トレーラを有する例示的な輸送用冷蔵システム５０を示す。トレーラは、トラクタ５２によって引っ張られてもよい。例示的なトレーラは、内部区画室５６を定めているコンテナ５４を含む。本明細書に記載の実施形態は、トラクタ５２を使用せずに、鉄道または海上で輸送される輸送コンテナに適用され得ることが理解される。コンテナ５４の前面に載置される器材ハウジング５８は、電源を含んでもよい。冷蔵システムは電源に電気的に結合されて、電力を受信し得る。冷蔵システムは、当技術分野で知られているように、冷媒を循環させるための冷却回路を定めているコンプレッサ、コンデンサ、膨張弁及び１つ以上の蒸発器を含む。冷蔵システムには、凝縮器ファン、蒸発器ファンまたは換気ファンなどの１つ以上のファンも含まれる。本明細書に記載の実施形態が、鉄道、海上、航空または他の任意の適切なコンテナによって輸送される輸送コンテナに適用してもよく、したがって、輸送手段はトラック、列車、ボート、飛行機などでもよいことが理解される。
【００２８】
冷蔵システム６０の実施形態の概略図は、図２に示される。冷蔵システム６０は、電源９６と、コンプレッサ７６、コンデンサ７８、冷媒調整器７０、蒸発器８２及びファン７４、８４により構成される冷蔵ユニット６４、ならびに制御システム８６（「コントローラ」）を含む。冷蔵ユニット６４は、冷媒が閉ループパス８８のコンプレッサ７６、コンデンサ７８、冷媒調整器７０及び蒸発器８２を通って進行するように構成される。ファン８４は、交流（「ａｃ」）モーターまたは直流（「ｄｃ」）モーターを備えており、図１の内部区画室５６から、及び／またはいくつかの実施形態では図１の内部区画室５６の外から、蒸発器８２を通り、そして図１の内部区画室５６の中へと戻る空気８０を、状態調節するように構成される。ファン７４は、交流（「ａｃ」）モーターまたは直流（「ｄｃ」）モーターを備えており、冷蔵システムからの熱を排除するために、コンデンサ７８を通して、外気９０を移動するように構成される。電源９６は、冷蔵ユニット６４のコンポーネント（例えば、コンプレッサ７６、冷媒調整器７０、ファン８４、ファン７４、コントローラ９８など）の１つ以上に電力を供給するように適合されている。
【００２９】
コントローラ回路８６は、内部区画室内の環境パラメータ（例えば、温度、圧力、湿度など）を示す、内部区画室及び／または冷蔵ユニット６４内に配置された１つ以上のセンサ４０から１つ以上のフィードバック信号、及び／または冷蔵ユニット６４の動作パラメータを示すフィードバック信号を受信するように適合されたプロセッサ９８を含む。プロセッサ９８はさらに、フィードバック信号、アルゴリズム、またはそれらのいくつかの組み合わせに基づいて、冷蔵ユニット６４と通信するアクチュエータ９２（例えば、スイッチ、バルブ、リレー、トライアック、ＦＥＴ、トランジスタ、及び他のパワースイッチングデバイス）を使用して、冷蔵ユニット６４の動作モードを選択的に維持または変更するように適合されている。例えば、内部区画室内で感知された温度値は、コントローラ８６に、動作していない冷蔵ユニット６４を作動させて内部区画室に冷却空気を供給するように促してもよく、またはコントローラ８６に、動作している冷蔵ユニット６４を解放するように促してもよい。同様に、冷蔵ユニット６４に関連する動作パラメータ値は、コントローラ８６に、休止状態の冷蔵ユニット６４を係合するように、または動作中の冷蔵ユニット６４を解放するように促してもよい。プロセッサ９８の機能は、ハードウェア、ソフトウェア、ファームウェア、またはそれらの組み合わせを使用して実装され得ることに留意されたい。
【００３０】
図３は、１つ以上の実施形態による、内部回路を利用する自己検証を備えた制御システムのブロック図を示す。制御システム３００は、プロセッサ３０２及びアナログデジタル変換器（ＡＤＣ）３０４を含む。マイクロコントローラ３０２は、１つ以上の電源スイッチ３０６ａ、３０６ｂを動作させるように構成される。制御システム２００は、１つ以上の電源３１０、３１２及び１つ以上の負荷３５０、３５２を含む。負荷３５０、３５２は、例えば、図２の冷蔵ユニット６４の要素のいずれかであり得る。電源３１０、３１２は、交流（ＡＣ）電源または直流（ＤＣ）電源であり得る。電源３１０、３１２は、電源３１０（ハイサイドパワースイッチングエレメント）またはグランド（ローサイドパワースイッチングエレメント）に接続されたスイッチングエレメント３０６ａ、３０６ｂに接続することができる。１つ以上の実施形態では、制御システム３００は、図２で説明したように、冷蔵ユニット６４のコントローラ８６であり得る。
【００３１】
１つ以上の実施形態では、電源３１０、３１２からの電力入力は、ＡＤＣ３０４によってモニタすることができるので、プロセッサ３０２は、負荷電力の存在または利用可能性を検出することができる。ＡＤＣ３０４への入力を使用して、抵抗器３２２及び抵抗器３２４は電源３１０をモニタすることができ、抵抗器３２６及び抵抗器３２８は電源３１２をモニタすることができる。ＡＤＣ３０４の出力は、プロセッサ３０２にルーティングされる前に、マルチプレクサ（ＭＵＸ）を通過することができる。プロセッサ３０２は、ＡＤＣ３０４出力を分析して、モニタされた電圧または電流が回路の通常の動作範囲内にあるかどうかを判定して、制御システム３００に潜在的な問題があるかどうかを判定することができる。１つ以上の実施形態では、基準電圧（ＶＲＥＦ１）は、ＡＣ電力信号にＤＣオフセットを提供して、完全なＡＣ信号をＡＤＣ３０４によって確実に読み取ることができるようにすることができる。電流センサ３２０は、電力出力に流れる負荷電流をモニタするために利用される。電流センサ３２０は、ＡＣまたはＤＣ電流センサであり得る。
【００３２】
１つ以上の実施形態では、スイッチング素子３０６ａ、３０６ｂは、制御システム３００の通常の動作またはシステムの診断テスト中の両方に必要に応じて、各素子を個別にまたは協調して制御できるプロセッサ３０２によって制御される。第１のスイッチング素子３０６ａの出力は、入力チャネル経由でＡＤＣ３０４に接続された第１の帰還抵抗器３３２を介してフィードバックすることができる。第２のスイッチング素子３０６ｂの出力は、ＡＤＣ３０４に接続された第２の帰還抵抗器３３４を介してフィードバックすることができる。他の任意のスイッチング素子については、追加の帰還抵抗器３３６を利用することができる。１つ以上の実施形態では、加算ジャンクションは、基準電圧（ＶＲＥＦ２）によってオフセットされて、ＡＣ信号がクリッピングすることなくモニタされることを可能にし得る。スイッチング素子３０６ａ、３０６ｂの出力は、オフ状態のスイッチング素子３０６ａ、３０６ｂからのアナログ信号が、浮動出力または潜在的な漏れ電流に起因するエラーを回避することによって期待される状態に従うことを確実にするために、プルアップ抵抗器３３４またはプルダウン抵抗器３４２を有し得る。１つ以上の実施形態では、帰還抵抗器３３２、３３４、３３６は、負荷３５０、３５２よりもはるかに大きくすることができ、その結果、フィードバックは、スイッチング素子３０６ａ、３０６ｂに有意な負荷を追加しない。また、共通電圧フィードバックノード（例えば、加算抵抗器）３３８に対する帰還抵抗器３３２、３３４、３３６の抵抗比は、分解能または範囲のいずれかに対して最適化することができる。すべての出力に共通の電圧フィードバックノード３３８を利用して、１つ以上の出力の出力状態の変化を表す電圧の変化を感知する。すべての出力に対して単一の電圧帰還ノード３３８とする利点は、最小数のコンポーネント及びＡＤＣリソース（１つのＡＤＣチャンネル）によってすべての出力のモニタリングを可能にする、サイズ及び複雑さの低減である。
【００３３】
１つ以上の実施形態では、プロセッサ３０２を利用して、システム３００の回路内の障害状態を識別するための診断動作を実行することができる。これは、ＡＤＣ３０４を使用して電圧と電流の値をモニタすることによって実行される。制御システム３００の問題が検出された場合、診断動作を自動的に開始することができ、技術者が手動でトラブルシューティングする必要がなくなる。診断動作中、プロセッサ３０２は、異なる負荷３５０、３５２及び電源３１０、３１２の既知の動作範囲の値にメモリからアクセスすることができる。例えば、各負荷３５０、３５２の公称電流は、プロセッサ３０２によってアクセスされるメモリに記憶することができる。
【００３４】
１つ以上の実施形態では、プロセッサ３０２は、電源３１０、３１２をモニタしている対応するＡＤＣ３０４チャネルを読み取ることによって、電源が存在し、動作範囲内の値にあることを検証することができる。プロセッサ３０２は、スイッチング素子３０６ａ、３０６ｂを作動させて、出力負荷３５０、３５２の１つ以上をオンにすることができる。プロセッサ３０２は、負荷電流及び／または負荷電圧の変化を検証し、これらの値を特定の負荷の動作範囲と比較することができる。負荷電流及び／または負荷電圧の変化が期待される値でない場合、プロセッサ３０２は、次に、スイッチング素子が状態を変化させているかどうかを検証することができる。スイッチング素子３０６ａ、３０６ｂが期待される値の範囲内で動作しており、負荷電流／電圧が期待される値の範囲内にない場合、負荷３５０は、制御システム３００の問題の原因である可能性が高い。負荷の問題のいくつかの実施例としては、ワイヤまたはピンがコントローラから負荷に適切に接続されていない、または負荷のコンポーネントが誤動作している（たとえば、冷蔵ユニットのコンプレッサが不良であるなど）が含まれる。負荷電流／電圧値が期待される値の範囲内にあるが、スイッチング素子３０６ａ、３０６ｂの出力には電圧がない場合、スイッチング素子は、システム３００の問題の原因であり得る。しかしながら、スイッチング素子が問題の考えられる原因であることを確認するために、プロセッサ３０２は、電源をモニタして、電源３１０、３１２が電源の期待される値の範囲内の電圧値を有するかどうかを判定する。電源３１０、３１２が期待される範囲内の電圧値を有し、負荷が期待される範囲内の電圧／電流値を有する場合、スイッチング素子３０６ａ、３０６ｂが問題の原因であり、交換する必要があるであろう。例えば、制御システムは通常、冷蔵制御ボード上のより小型のパワースイッチングデバイスよりも高い電流及び/または電圧の定格である接触器を使用して、冷蔵システムの負荷を制御する。例えば、コンテナシステムでは、制御システムはＡＣ２４Ｖ出力（トライアック／リレー）をオンにし、次にＡＣ４６０Ｖ電源をコンプレッサに接続する高圧接触器に通電する。実施形態は、内部リレー／トライアックから高電圧接触器コイルに印加される２４ＶＡＣ電圧／電流を測定する制御システムの診断を参照するが、接触器接点を通過する４６０ＶＡＣ電圧または電流は直接モニタされない。一次電圧及び電流信号をモニタするために使用してもよい別個のオプションの外部電圧及び電流逓降変圧器がある。本明細書の１つ以上の実施形態は、制御システムの、外部電源装置ではなく、内部電源制御装置の動作をモニタすることに関する。
【００３５】
１つ以上の実施形態では、プロセッサ３０２は、電源、スイッチング素子、及び負荷の電圧／電流値をモニタすることに基づいて、アラートを生成することができる。このアラートは、システム３００に接続されて技術者がアクセスするディスプレイデバイスに表示することができる。いくつかの実施形態では、アラートは、ネットワークを介してデバイスに送信され、ユーザに表示され得る。
【００３６】
図４は、１つ以上の実施形態による、回路動作をテストするための方法の流れ図を示す。方法４００は、ブロック４０２に示されるように、プロセッサによって回路内の感知素子から、回路上の負荷に関連した第１のセンサデータを取得することを含み、回路は、電源及びスイッチング素子を含み、第１のセンサデータは、スイッチング素子の動作に応答して取得され、第１のセンサデータは、負荷に関連した電気的値を含む。方法４００は、ブロック４０４で、感知素子から、スイッチング素子の出力に関連した第２のセンサデータを取得することを含み、第２のセンサデータは、スイッチング素子の出力に関連した電気的値を含む。そして、ブロック４０６において、方法４００は、第１のセンサデータと第２のセンサデータとを比較して、回路に障害状態が存在するかどうかを判定することを含む。
【００３７】
追加のプロセスも含まれる場合がある。図４に示されるプロセスは例証を表すということ、そして、本開示の範囲及び精神から逸脱することなく、他のプロセスを追加してもよく、または既存のプロセスを削除、修正、または再配置してもよいということが理解されるべきである。
【００３８】
開示される装置の１つ以上の実施形態の詳細な説明が、図面を参照して、限定ではなく例証として本明細書において提示される。
【００３９】
「約」という用語は、出願時に利用可能な装置に基づく特定の量の測定に関連する誤差の程度を含むことを意図している。例えば、「約」には、所与の値の±８％、５％、または２％の範囲を含むことができる。
【００４０】
本明細書で使用される用語は、特定の実施形態を説明することのみを目的とし、本開示を限定することを意図していない。本明細書で使用される場合、単数形「ａ」、「ａｎ」、及び「ｔｈｅ」は、文脈上別段に明示されていない限り、複数形も同様に含むことが意図されている。本明細書で使用される場合、用語「含む（ｃｏｍｐｒｉｓｅｓ）」及び／または「含んでいる（ｃｏｍｐｒｉｓｉｎｇ）」は、記載された機能、整数、ステップ、動作、要素、及び／または構成要素の存在を指定するが、１つ以上の他の機能、整数、ステップ、動作、要素、構成要素、及び／またはそれらのグループの存在または追加を排除するものではないことがさらに理解されよう。
【００４１】
本開示は、例示の１つ以上の実施形態を参照して説明したが、本開示の範囲から逸脱することなく、種々の変更を行ってもよく、等価物がその要素の代わりをする場合もあることは当業者によって理解されるであろう。さらに、本開示の本質的な範囲から逸脱することなく、本開示の教示に対して特定の状況または材料を適合させるために、多くの修正を行ってもよい。したがって、本開示は、本開示を実施するために企図された最良の形態として開示される特定の実施形態に限定されるのではなく、本開示は、特許請求の範囲内に収まる全ての実施形態を含むことが意図されている。
【図１】
2022500719.tif 000003
【図２】
2022500719.tif 000004
【図３】
2022500719.tif 000005
【図４】
2022500719.tif 000006
【国際調査報告】
2022500719.tif 000007
2022500719.tif 000008
2022500719.tif 000009